(57)【特許請求の範囲】
【請求項１】
長尺の天板と、前記天板の周囲に位置すると共に、光を反射する反射面である内面を有する部分と、を備え、かつ、前記天板の下面に電源ブロックが取り付けられる第１反射板と、
前記第１反射板の前記天板の長手方向の端部において、前記天板の下面に取り付けられると共に、直管型ランプが取り付けられるソケットを、前記ソケットが下方に突出するように保持するソケット台と、
前記電源ブロックと前記ソケットとを電気的に接続する器具内配線と、
前記第１反射板の長手方向に沿うように配置され、かつ前記第１反射板の前記天板の下面に取り付けられ、前記天板の下面に取り付けられた状態では、前記天板との間に前記電源ブロックを収容する内部空間が形成される第２反射板と、
を有し、
前記ソケット台は、器具内配線を通すための開口部が設けられる底板と、前記底板の端部から、前記天板の側に突出する周板と、を備え、
前記ソケット台および前記第２反射板が、前記第１反射板の前記天板の下面に取り付けられた状態では、前記ソケット台の前記底板における前記開口部は、前記第２反射板の前記内部空間に位置し、
前記ソケット台が前記天板の下面に取り付けられた状態では、前記ソケット台の前記底板と前記第１反射板の前記天板との間には隙間が形成され、
前記器具内配線は前記ソケットの上端部から引き出され、引き出された前記器具内配線は、前記ソケット台における前記底板の上面側の前記隙間を経由した後、前記底板の前記開口部から前記底板の下面側に引き出される照明器具。
【請求項２】
請求項１に記載の照明器具において、
前記ソケット台の前記底板の前記開口部は、前記ソケット台の側縁に、前記器具内配線を誘導するためのスリットを有する照明器具。
【請求項３】
請求項１または請求項２に記載の照明器具において、
前記ソケット台の前記底板は、前記ソケットとしての、第１のソケットと第２のソケットを保持し、
かつ、前記ソケット台の前記底板の前記開口部として、前記第１のソケット用の第１の開口部と、前記第２ソケット用の第２の開口部が設けられる照明器具。
【請求項４】
請求項２に記載の照明器具において、
前記スリットが、Ｌ字形状に屈曲される照明器具。
【請求項５】
請求項１ないし請求項４のうちのいずれか１項に記載の照明器具において、
前記ソケット台の前記底板の前記下面には、前記直管型ランプを保持するランプ支持ばねが取り付けられる照明器具。
【請求項６】
請求項１ないし請求項５のうちのいずれか１項に記載の照明器具において、
前記ソケット台の前記底板における前記ソケットの近傍に、前記底板の上面側を目視可能な確認窓が設けられる照明器具。
【発明の詳細な説明】
【技術分野】
【０００１】
本発明は、例えばＬＥＤを有する直管型ＬＥＤランプ等のランプを光源として天井面に設置される照明器具に関する。
【背景技術】
【０００２】
従来より、長手方向の両端部に配置されたソケットに直管型の蛍光ランプを取り付けた照明器具が知られている（例えば、特許文献１参照）。
特許文献１に記載の照明器具は、蛍光ランプから光が放射状に出射されることにより、被照射対象である床面側を照射する。
【先行技術文献】
【特許文献】
【０００３】
【特許文献１】特開２００７−２１３９６８号公報（図１、請求項１）
【発明の概要】
【発明が解決しようとする課題】
【０００４】
特許文献１に記載の照明器具は、蛍光ランプの光を無用に遮ることなく輻射雑音を低減することができる。
ところが、特許文献１に記載の照明器具は、ソケットに電気的に接続される器具内配線がソケットの近傍において他の既設部品と干渉する虞がある。
従って、特許文献１に記載の照明器具は、器具内配線が他の既設部品と干渉した場合に電気的な障害が発生する。
【０００５】
本発明は、前述した課題を解決するためになされたものであり、その目的は、他の既設部品との干渉を防止できる照明器具を提供することにある。
【課題を解決するための手段】
【０００６】
本発明に係る照明器具は、長尺の天板と、前記天板の周囲に位置すると共に、光を反射する反射面である内面を有する部分と、を備え、かつ、前記天板の下面に電源ブロックが取り付けられる第１反射板と、前記第１反射板の前記天板の長手方向の端部において、前記天板の下面に取り付けられると共に、直管型ランプが取り付けられるソケットを、前記ソケットが下方に突出するように保持するソケット台と、前記電源ブロックと前記ソケットとを電気的に接続する器具内配線と、前記第１反射板の長手方向に沿うように配置され、かつ前記第１反射板の前記天板の下面に取り付けられ、前記天板の下面に取り付けられた状態では、前記天板との間に前記電源ブロックを収容する内部空間が形成される第２反射板と、を有し、前記ソケット台は、器具内配線を通すための開口部が設けられる底板と、前記底板の端部から、前記天板の側に突出する周板と、を備え、前記ソケット台および前記第２反射板が、前記第１反射板の前記天板の下面に取り付けられた状態では、前記ソケット台の前記底板における前記開口部は、前記第２反射板の前記内部空間に位置し、前記ソケット台が前記天板の下面に取り付けられた状態では、前記ソケット台の前記底板と前記第１反射板の前記天板との間には隙間が形成され、前記器具内配線は前記ソケットの上端部から引き出され、引き出された前記器具内配線は、前記ソケット台における前記底板の上面側の前記隙間を経由した後、前記底板の前記開口部から前記底板の下面側に引き出される。
【０００７】
本発明に係る照明器具は、前記ソケット台の前記底板の前記開口部は、前記ソケット台の側縁に、前記器具内配線を誘導するためのスリットを有する。
【０００８】
本発明に係る照明器具は、前記ソケット台の前記底板は、前記ソケットとしての、第１のソケットと第２のソケットを保持し、かつ、前記ソケット台の前記底板の前記開口部として、前記第１のソケット用の第１の開口部と、前記第２ソケット用の第２の開口部が設けられる。
【０００９】
本発明に係る照明器具は、前記スリットが、Ｌ字形状に屈曲される。
【００１０】
本発明に係る照明器具は、前記ソケット台の前記底板の前記下面には、前記直管型ランプを保持するランプ支持ばねが取り付けられる
【００１１】
本発明に係る照明器具は、前記ソケット台の前記底板における前記ソケットの近傍に、前記底板の上面側を目視可能な確認窓が設けられる。
【発明の効果】
【００１２】
本発明に係る照明器具によれば、他の既設部品との干渉を防止できるという効果を奏する。
【図面の簡単な説明】
【００１３】
【図１】本発明に係る一実施形態の照明器具の斜め下方から視た分解斜視図
【図２】本発明に係る一実施形態の照明器具のソケット台周りの外観斜視図
【図３】本発明に係る一実施形態の照明器具のソケット台の斜め上方から視た外観斜視図
【図４】本発明に係る一実施形態の照明器具のソケット台周りの垂直断面図
【図５】本発明に係る一実施形態の照明器具のソケット台の変形例の外観斜視図
【発明を実施するための形態】
【００１４】
以下、本発明に係る一実施形態の照明器具について図面を参照して説明する。
図１に示すように、本発明に係る一実施形態の照明器具１０は、器具本体一体形の第１反射板１１と、第１反射板１１の一端部に単一の給電側ソケット台１２を介して取り付けられた第１給電側ソケット１３および第２給電側ソケット１４とを備える。
また、照明器具１０は、第１反射板１１の他端部に単一の接地側ソケット台１５を介して取り付けられた第１接地側ソケット１６および第２接地側ソケット１７と、第１反射板１１に取り付けられる第２反射板１８とを備える。
そして、照明器具１０は、第１給電側ソケット１３および第２給電側ソケット１４と、第１接地側ソケット１６および第２接地側ソケット１７とに電気的に接続されて機械的に取り付けられる複数の直管型ＬＥＤランプ１９とを備える。
さらに、照明器具１０は、給電側ソケット台１２および接地側ソケット台１５に二対のランプ支持ばね２０が取り付けられる。
照明器具１０は、不図示の天井面に設置されるベースライトに適用される。
【００１５】
第１反射板１１は、厚みの薄い金属製板部材や樹脂製板部材により成形されており、天板２１の周囲に反射面２２を有する。
第１反射板１１は、天板２１の下面に、電源端子台２３と、電源ブロック２４とが取り付けられている。
電源端子台２３には、外部から引き込まれた不図示の電源配線および電源ブロック２４に接続される電源配線２５が電気的に接続される。
電源ブロック２４からは、第１給電側ソケット１３および第２給電側ソケット１４に電気的に接続される器具内配線２６と、第１接地側ソケット１６および第２接地側ソケット１７に電気的に接続される器具内配線２７とが引き出されている。
【００１６】
第２反射板１８は、垂直断面視がＶ字形状に形成されており、第１反射板１１の長手方向に長さを有する。
第２反射板１８は、Ｖ字形状の反射面２８を有し、先端部に有するフランジ２９が第１反射板１１の天板２１に差し込まれる等により係止されることによって第１反射板１１に取り付けられる。
このとき、第２反射板１８は、電源端子台２３および電源ブロック２４を覆って組付けられるために、電源端子台２３および電源ブロック２４を隠す。
【００１７】
直管型ＬＥＤランプ１９は、断面が略円形状のガラス管３０の一端部の口金３１に、第１給電側ソケット１３および第２給電側ソケット１４内に収容されている不図示の一対の給電側端子受に電気的に接続される一対の給電側口金ピン３２をそれぞれ有する。
直管型ＬＥＤランプ１９は、ガラス管３０の他端部の口金３３に、第１接地側ソケット１６および第２接地側ソケット１７に収容されている不図示の接地側端子受に電気的に接続される単一の接地側口金ピン３４を有する。
【００１８】
直管型ＬＥＤランプ１９は、ガラス管３０内に、複数のＬＥＤ３５を第１反射板１１の長手方向に実装させたＬＥＤ基板３６を有するＬＥＤユニット３７を内蔵している。
直管型ＬＥＤランプ１９は、被照射対象に向けた照射範囲が全周に対して１／２ないし２／３である。
直管型ＬＥＤランプ１９は、第１給電側ソケット１３および第２給電側ソケット１４から給電された直流電流が給電側口金ピン３２から接地側口金ピン３４を通じて第１接地側ソケット１６および第２接地側ソケット１７に流れる。
そして、直管型ＬＥＤランプ１９は、ＬＥＤ基板３６に有する不図示のプリント回路に直流電流が供給されてＬＥＤ３５が発光される。
なお、直管型ＬＥＤランプ１９は、一端部の口金３１に一対の給電側口金ピン３２を有し、他端部の口金３３に単一の接地側口金ピン３４を有するものに限ることはない。
例えば、一端部の口金３１に３本の給電側口金ピン３２を有し、他端部の口金３３に２本の接地側口金ピン３４を有するものや、一端部の口金３１に２本の給電側口金ピン３２を有し、他端部の口金３３に２本の接地側口金ピン３４を有するものであってもよい。
【００１９】
次に、接地側ソケット台１５および第１接地側ソケット１６と第２接地側ソケット１７とについて詳細に説明する。
なお、給電側ソケット台１２および第１給電側ソケット１３と第２給電側ソケット１４とについては、接地側ソケット台１５および第１接地側ソケット１６と第２接地側ソケット１７と同一構造であるために、ここでは、それらの説明を省略する。
【００２０】
図２に示すように、接地側ソケット台１５は、底板３８の周囲に周板３９を有して第１反射板１１の天板２１との間に隙間を有し、底板３８に接続されていて第１反射板１１の天板２１に取り付けるためのブラケット４０を有する。
【００２１】
接地側ソケット台１５は、一対の第１接地側ソケット挿通孔４１と第２接地側ソケット挿通孔４２とを第１反射板１１の端部寄りに有する。
接地側ソケット台１５は、第１接地側ソケット挿通孔４１に第１接地側ソケット１６が挿通され、第２接地側ソケット挿通孔４２に第２接地側ソケット１７が挿通されることにより、第１接地側ソケット１６および第２接地側ソケット１７が下方へ向けて突出される。
【００２２】
接地側ソケット台１５は、第１接地側ソケット挿通孔４１の近傍に底板３８を貫通した第１確認窓４３を有し、第２接地側ソケット挿通孔４２の近傍に底板３８を貫通した第２確認窓４４を有する。
接地側ソケット台１５は、第１接地側ソケット１６における直管型ＬＥＤランプ１９の取付側に底板３８を貫通した第１開口部４５を有する。そして、第２接地側ソケット１７における直管型ＬＥＤランプ１９の取付側に底板３８を貫通した第２開口部４６を第１開口部４５に並列に有する。
第１開口部４５および第２開口部４６は、器具内配線２７の外径寸法よりも十分に大きい四角形に形成されており、第２反射板１８で覆われる範囲内に設けられる。
第１開口部４５は、接地側ソケット台１５の底板３８にＬ字形状に屈曲して切除された第１スリット４７が連通して接続されており、第２開口部４６は、接地側ソケット台１５の底板３８にＬ字形状に屈曲して切除された第２スリット４８が連通して接続されている。
そして、第１スリット４７は、接地側ソケット台１５の周板３９に形成された第１引出切欠４９に連通して接続されており、第２スリット４８は、接地側ソケット台１５の周板３９に形成された第２引出切欠５０に連通して接続されている。
【００２３】
接地側ソケット台１５には、第１接地側ソケット１６の近傍および第２接地側ソケット１７の近傍に、ランプ支持ばね２０がそれぞれ取り付けられている。
従って、接地側ソケット台１５にランプ支持ばね２０が取り付けられるために、従来、他の既設部品に相当する第１反射板１１等に別構成で取り付けていた作業を不要として接地側ソケット台１５の取り付けと同時にランプ支持ばね２０を設置できる。
【００２４】
図３に示すように、第１接地側ソケット１６に電気的に接続された器具内配線２７は、第１接地側ソケット１６の底板３８の裏面を通って第１反射板１１の長手方向に沿って引き出される。
そして、器具内配線２７は、第１開口部４５から第１スリット４７を介して第１引出切欠４９から第１反射板１１の長手方向に引き出される。
第２接地側ソケット１７に電気的に接続された器具内配線２７は、第１接地側ソケット１６の底板３８の裏面を通って第１反射板１１の長手方向に沿って引き出される。
そして、器具内配線２７は、第２開口部４６から第２スリット４８を介して第２引出切欠５０から第１反射板１１の長手方向に引き出される。
このとき、器具内配線２７に引張荷重がかかった場合、器具内配線２７は、屈曲状の第１スリット４７および第２スリット４８に引っ掛かる。
従って、器具内配線２７に引張荷重がかかった際に、器具内配線２７が第１スリット４７および第２スリット４８の屈曲部分に引っ掛かることにより、外れを防止できる。
【００２５】
ここで、接地側ソケット台１５に、第１開口部４５および第２開口部４６が一対に独立して設けられている。
従って、第１接地側ソケット１６から引き出される器具内配線２７と、第２接地側ソケット１７から引き出される器具内配線２７とを独立して誘導することにより、スマートに配策できる。
【００２６】
加えて、第１接地側ソケット１６から引き出される器具内配線２７が第１スリット４７を介して引き出され、第２接地側ソケット１７から引き出される器具内配線２７が第２スリット４８を介して引き出される。
従って、簡単な作業により、器具内配線２７を接地側ソケット台１５の側縁へ引き出しできる。
【００２７】
第１確認窓４３および第２確認窓４４は、器具内配線２７が正しい経路で配策されているか否かを目視する機能を有する。
第１確認窓４３は、第１反射板１１に第２反射板１８が取り付けられる以前に、下方から覗き込んだ際に器具内配線２７が見えた場合、器具内配線２７が第１接地側ソケット１６に確実に接続されておらず正しい経路で配策されていないことが確認される。
同様に、第２確認窓４４は、第１反射板１１に第２反射板１８が取り付けられる以前に、下方から覗き込んだ際に器具内配線２７が見えた場合、器具内配線２７が第２接地側ソケット１７に確実に接続されておらず正しい経路で配策されていないことが確認される。
従って、接地側ソケット台１５の第１確認窓４３および第２確認窓４４を通じて、器具内配線２７が第１接地側ソケット１６および第２接地側ソケット１７に電気的に接続されているか否かを確認できる。
【００２８】
図４に示すように、器具内配線２７は、第１接地側ソケット１６および第２接地側ソケット１７から接地側ソケット台１５の底板３８と第１反射板１１の天板２１との間を通って第１反射板１１の長手方向に沿って引き出される。
そのため、第１接地側ソケット１６および第２接地側ソケット１７に電気的に接続される器具内配線２７が接地側ソケット台１５の表面を通らずに、第２反射板１８により覆われる範囲内の第１開口部４５および第２開口部４６を通じて引き出される。
従って、器具内配線２７の他の既設部品に相当する第１反射板１１等との干渉を防止できる。
【００２９】
図５に示すように、本発明に係る一実施形態の照明器具１０の変形例の接地側ソケット台５１は、第１接地側ソケット１６における直管型ＬＥＤランプ１９の取付側に底板３８を貫通した第１開口部４５に直線状の第１スリット５２が連通して接続されている。
また、第２接地側ソケット１７における直管型ＬＥＤランプ１９の取付側に底板３８を貫通した第２開口部４６に直線状の第２スリット５３が連通して接続されている。
【００３０】
以上、説明したように一実施形態の照明器具１０によれば、第１接地側ソケット１６および第２接地側ソケット１７に電気的に接続される器具内配線２７が接地側ソケット台１５，５１の表面を通らない。
そして、一実施形態の照明器具１０によれば、器具内配線２７が、第２反射板１８により覆われる範囲内の第１開口部４５および第２開口部４６を通じて引き出されるために、器具内配線２７の他の既設部品に相当する第１反射板１１等との干渉を防止できる。
【００３１】
また、一実施形態の照明器具１０によれば、第１開口部４５から引き出される器具内配線２７が第１スリット４７により誘導され、第２開口部４６から引き出される器具内配線２７が第２スリット４８により誘導される。
そのため、一実施形態の照明器具１０によれば、簡単な作業により、器具内配線２７を接地側ソケット台１５，５１の側縁へ引き出しできる。
【００３２】
そして、照明器具１０によれば、第１接地側ソケット１６から第１開口部４５を通じて引き出される器具内配線２７と、第２接地側ソケット１７から第２開口部４６を通じて引き出される器具内配線２７とを独立して誘導することにより、スマートに配策できる。
【００３３】
さらに、一実施形態の照明器具１０によれば、器具内配線２７に引張荷重がかかった際に、器具内配線２７が第１スリット４７および第２スリット４８の屈曲部分に引っ掛かることにより、外れを防止できる。
【００３４】
さらに、照明器具１０によれば、接地側ソケット台１５，５１にランプ支持ばね２０が取り付けられているため、従来、他の既設部品に相当する第１反射板１１等に別構成で取り付けていた作業が不要となる。
【００３５】
加えて、一実施形態の照明器具１０によれば、接地側ソケット台１５，５１の第１確認窓４３および第２確認窓４４を通じて、器具内配線２７が第１接地側ソケット１６および第２接地側ソケット１７に電気的に接続されているか否かを確認できる。
【００３６】
なお、本発明の照明器具において第１反射板，第２反射板，電源端子台，電源ブロック等は、前述した一実施形態に限定されるものでなく、適宜な変形や改良等が可能である。
【符号の説明】
【００３７】
１０  照明器具
１１  第１反射板
１２  給電側ソケット台（ソケット台）
１３  第１給電側ソケット（ソケット）
１４  第２給電側ソケット（ソケット）
１５，５１  接地側ソケット台（ソケット台）
１６  第１接地側ソケット（ソケット）
１７  第２接地側ソケット（ソケット）
１８  第２反射板
１９  直管型ＬＥＤランプ（直管型ランプ）
２０  ランプ支持ばね
２６，２７  器具内配線
４３  第１確認窓（確認窓）
４４  第２確認窓（確認窓）
４５  第１開口部（開口部）
４６  第２開口部（開口部）
４７，５２  第１スリット（スリット）
４８，５３  第２スリット（スリット）
【図１】
0005703443.tif 000002
【図２】
0005703443.tif 000003
【図３】
0005703443.tif 000004
【図４】
0005703443.tif 000005
【図５】
0005703443.tif 000006